(57)【要約】【課題】  フィルター体に付着した塵埃を除去する清掃体の回動軸及び回動軸近傍に塵埃が滞留するのを防ぐことができるフィルター清掃装置を提供する。【解決手段】  フィルター清掃装置１０は、基礎壁２ｂと、塵埃を捕集するフィルター体１と、フィルター体１の上流側に備えられた通風路５ａと、通風路５ａ内に基礎壁２ｂと略平行に設置された回動軸３ａと、回動軸３ａに備えられると共に、フィルター体１に回動自在に当接し、フィルター体１に付着した塵埃を除去する清掃体３とを有し、整流板６ｄは、清掃体３の回動軸３ａよりも上流側の通風路５ａ内であると共に、回動軸３ａの近傍であって、回動軸３ａの軸中心よりも基礎壁２ｂから離れた位置に設置されている。【選択図】図３
2018121821.tif 000002
【特許請求の範囲】
【請求項１】
フィルター清掃装置は、
基礎壁と、
塵埃を捕集するフィルター体と、
前記フィルター体の上流側に備えられた通風路と、
前記通風路内に前記基礎壁と略平行に設置された回動軸と、
前記回動軸に備えられると共に、前記フィルター体に回動自在に当接し、該フィルター体に付着した塵埃を除去する清掃体と、を有し、
前記回動軸よりも上流側の前記通風路内であると共に、前記回動軸の近傍であって、前記回動軸の軸中心よりも前記基礎壁から離れた位置に、前記回動軸の周囲に塵埃が滞留するのを防ぐ整流板が設置されていることを特徴とするフィルター清掃装置。
【請求項２】
フィルター体に捕集された塵埃の外部への排出を防ぐと共に、開閉可動する塵埃排出抑制体を有し、
前記塵埃排出抑制体に整流板が設置されていることを特徴とする請求項１に記載のフィルター清掃装置。
【請求項３】
基礎壁と、整流板との間に通風を遮断する遮断部が設けられていることを特徴とする請求項１又は２に記載のフィルター清掃装置。
【請求項４】
整流板の基礎壁から離れる方向の高さは、回動軸に近づくにつれて大きくなることを特徴とする請求項１〜３のいずれか１項に記載のフィルター清掃装置。
【請求項５】
槽体内に回転自在に配置され衣類等を収容する回転ドラム内に、送風手段及び加熱手段により発生した温風を、循環ダクトを経て循環供給して衣類等を乾燥可能とするとともに、前記循環ダクトの前記槽体からの排気側に請求項１〜４のいずれか１項に記載のフィルター清掃装置を備えたことを特徴とする乾燥機。
【発明の詳細な説明】
【技術分野】
【０００１】
本発明は、フィルターに付着した塵埃を除去するためのフィルター清掃装置と、このフィルター清掃装置を備えた乾燥機に関するものである。
【背景技術】
【０００２】
従来から、塵埃を捕集するフィルターが設置され、このフィルターに付着した塵埃を除去するためのフィルター清掃装置が知られている（特許文献１）。
【０００３】
特許文献１のフィルター清掃装置は、循環風路に配設し洗濯物から発生した乾燥用空気に含まれるリントを捕捉する乾燥フィルター装置を備え、この乾燥フィルター装置は、乾燥用空気を導入する導入部と、乾燥用空気からリントを捕捉する第１のフィルター部と、第１のフィルター部の側方に設けた第２のフィルター部と、リント除去装置とを備え、リント除去装置で掻き取ったリントを第２のフィルター部へ向けて移動させるとともに、リント除去装置は、第１のフィルター部でリントを掻き取る掻き取り部と、第２のフィルター部でリントを撹拌する撹拌部を備えており、第１のフィルター部に設けたブレードの動作停止時の位置が、第１の通風部に導入される乾燥用空気の流動方向と略平行になるように設定されている。これにより、ブレードが乾燥用空気の流れを妨げて圧力損失を増大させることを防ぐことができると共に、ブレードの動作停止時に、ブレードが乾燥用空気から受ける空力抵抗も減少させることができるため、ブレードが動作停止状態から動き出す際に必要な回転トルクを減少させることができるものであった。
【先行技術文献】
【特許文献】
【０００４】
【特許文献１】特開２０１２−１４３４３１号公報
【発明の概要】
【発明が解決しようとする課題】
【０００５】
しかしながら、上記特許文献１に記載のフィルター清掃装置は、ブレードの回転軸及び回転軸近傍にリント等の塵埃が付着して滞留するという従来からの課題を解決するものではなかった。
【０００６】
本発明は、前記従来の課題を解決するものであり、フィルター体に付着した塵埃を除去する清掃体の回動軸及び回動軸近傍に塵埃が滞留するのを防ぐことができるフィルター清掃装置と、このフィルター清掃装置を備えた乾燥機を提供することを目的とする。
【課題を解決するための手段】
【０００７】
前記従来の課題を解決するために、請求項１のフィルター清掃装置の発明は、基礎壁と、塵埃を捕集するフィルター体と、前記フィルター体の上流側に備えられた通風路と、前記通風路内に前記基礎壁と略平行に設置された回動軸と、前記回動軸に備えられると共に、前記フィルター体に回動自在に当接し、該フィルター体に付着した塵埃を除去する清掃体と、を有し、前記回動軸よりも上流側の前記通風路内であると共に、前記回動軸の近傍であって、前記回動軸の軸中心よりも前記基礎壁から離れた位置に、前記回動軸の周囲に塵埃が滞留するのを防ぐ整流板が設置されていることを特徴としている。
【０００８】
請求項１の発明では、回動軸の軸中心よりも前記基礎壁から離れた位置に、整流板が設置されているので、回動軸と基礎壁との隙間に通風が流れ込み難くなることから、回動軸の周囲に塵埃が滞留するのを防ぐことができる。
【０００９】
請求項２のフィルター清掃装置の発明は、請求項１の発明において、フィルター体に捕集された塵埃の外部への排出を防ぐと共に、開閉可動する塵埃排出抑制体を有し、前記塵埃排出抑制体に整流板が設置されていることを特徴としている。したがって、フィルター清掃装置内部の清掃を行い易くすると共に、塵埃排出抑制体を回転軸によって開閉可動する構成とした場合には、整流板が錘となって塵埃排出抑制体の開動作を容易に行うことができる。
【００１０】
請求項３のフィルター清掃装置の発明は、請求項１又は２の発明において、基礎壁と、整流板との間に通風を遮断する遮断部が設けられていることを特徴としている。したがって、遮断部によって、基礎壁と整流板との間に隙間が形成されず、その箇所から通風されることがないので、確実に、回動軸の周囲に塵埃が滞留するのを防ぐことができる。
【００１１】
請求項４のフィルター清掃装置の発明は、請求項１〜３のいずれかの発明において、整流板の基礎壁から離れる方向の高さは、回動軸に近づくにつれて大きくなることを特徴としている。したがって、基礎壁から離れる方向であって、回動軸からも離れる方向に通風の向きを形成することができるので、より一層確実に、回動軸の周囲に塵埃が滞留するのを防ぐことができる。
【００１２】
請求項５の乾燥機の発明は、槽体内に回転自在に配置され衣類等を収容する回転ドラム内に、送風手段及び加熱手段により発生した温風を、循環ダクトを経て循環供給して衣類等を乾燥可能とするとともに、前記循環ダクトの前記槽体からの排気側に請求項１〜４のいずれか１項に記載のフィルター清掃装置を備えたことを特徴としている。したがって、回動軸の周囲に塵埃が滞留するのを防ぐことができるフィルター清掃装置を備えた乾燥機を提供することができる。
【発明の効果】
【００１３】
請求項１のフィルター清掃装置の発明は、回動軸の周囲に塵埃が滞留するのを防ぐことができる。また、請求項２の発明は、フィルター清掃装置内部の清掃を行い易くすると共に、塵埃排出抑制体の開動作を容易に行うことができる。さらに、請求項３及び４の発明は、確実に、回動軸の周囲に塵埃が滞留するのを防ぐことができる。
【００１４】
また、請求項５の乾燥機の発明は、回動軸の周囲に塵埃が滞留するのを防ぐことができるフィルター清掃装置を備えた乾燥機を提供することができる。
【図面の簡単な説明】
【００１５】
【図１】本発明に係る衣類乾燥機を示す斜視図
【図２】本発明に係る衣類乾燥機の内部構成を示す断面図
【図３】（ａ）本発明に係る第１実施形態のフィルター清掃装置の外観を示す斜視図（ｂ）本発明に係る第１実施形態のフィルター清掃装置の内部構造を示す斜視図
【図４】（ａ）〜（ｃ）本発明に係るフィルター清掃装置を構成する可動手段の動作を示す説明図
【図５】本発明に係る第１実施形態のフィルター清掃装置の清掃動作を示す説明図
【図６】（ａ）〜（ｄ）整流板の他例を示す断面図
【図７】（ａ）〜（ｃ）整流板の他例を示す断面図
【発明を実施するための形態】
【００１６】
以下、本発明の実施形態について、図面を参照しながら説明する。なお、この実施の形態によって本発明が限定されるものではない。
【００１７】
図１は、本発明に係る衣類乾燥機を示す斜視図であり、図２は、同衣類乾燥機の内部構造を示す断面図である。これらの図を用いて本発明に係る衣類乾燥機について説明する。本発明に係る衣類乾燥機２０は、前面にドア２０ａを備え、槽体２０ｄ内に回転自在に配置され衣類などを収容する回転ドラム２０ｂ内に、送風手段（ファン）２３及び加熱手段２２により発生した温風を、循環ダクト２１ａ、２１ｂ、２１ｃを経て循環供給して衣類を乾燥可能とするとともに、循環ダクト２１ａ、２１ｂ、２１ｃの槽体２０ｄからの排気側にフィルター清掃装置１０が設置されている。ここで、フィルター清掃装置１０は、清掃装置本体上面２ｃが、衣類乾燥機上面２０ｅと平行になるように設置されている。
【００１８】
符号２０ｃは、回転ドラム２０ｂを回転させるモータであり、このモータ２０ｃは、乾燥処理、洗濯処理、すすぎ処理や脱水処理といった様々な処理の間、回転ドラム２０ｂを回転させる。また、加熱手段２２には、一例として、熱交換器を使用することができる。尚、熱交換器の方式として、ヒートポンプ式やヒーター式等、様々な方式を採用することができる。また、衣類乾燥機２０は、ドラム式としているが、これに限定するものではなく、例えば縦型など様々の方式を採用することができる。
【００１９】
図３（ａ）は、本発明に係る第１実施形態のフィルター清掃装置の外観を示す斜視図であり、図３（ｂ）は、図３（ａ）のＡ−Ａ断面により、本発明に係る第１実施形態のフィルター清掃装置の内部構造を示す斜視図である。図３を用いて本発明に係るフィルター清掃装置の第１実施形態を以下に説明する。
【００２０】
フィルター清掃装置１０は、清掃装置本体２と、通風から塵埃を捕集可能な一部が円弧状のフィルター体１を有している。また、基礎壁２ｂと、フィルター体の上流側に備えられた通風路５ａと、この通風路５ａ内に基礎壁２ｂと近接すると共に略平行に設置された回動軸３ａと、側部に塵埃を掻き上げるための突起３ｇが形成されたブレード３ｂと、このブレード３ｂを回動させる基台３ｃとを備え、フィルター体１に沿って可動（往復回動）し、フィルター体１に付着した塵埃を除去する清掃体３を有している。
【００２１】
そして、清掃体３の一方の端部３ｆから清掃体の他方の端部３ｄまでの長さは、清掃体３の一方の端部３ｆからフィルター体１のフィルター面１２までの最短距離よりも長く、基台３ｃの先端には、往路における清掃体３の進行方向に対してブレード３ｂの後方側に当接する支持部３ｅが形成されていて、ブレード３ｂは往路において、進行方向後方に屈曲又は湾曲した状態でフィルター体１に当接する。また、ブレード３ｂの材質としてエラストマーを使用しているが、これに限定されるものではなく、ゴム、軟質樹脂、発泡樹脂、不織布、などでもよく、またこれらの複合材でもよい。
【００２２】
また、ブレード３ｂは、往路の終端近傍においてフィルター体１から離れることによって、屈曲又は湾曲した状態から解放される（初期状態に戻る）構成としている。このように構成されたフィルター清掃装置１０は、清掃体３の一方の端部３ｆから清掃体の他方の端部３ｄまでの長さを、清掃体３の一方の端部３ｆからフィルター体１のフィルター面１２までの最短距離よりも長くしたことにより、ブレード３ｂは、往路において進行方向後方に屈曲又は湾曲した状態でフィルター体１に当接することとなるので、往路の終端近傍でブレード３ｂの復元力によって、塵埃を弾き飛ばすことができると共にブレードの先端に塵埃が残ることを抑制できる。また、往路におけるブレード３ｂの進行方向後方側に当接する支持部３ｅが形成されているので、ブレード３ｂがフィルター体１に付着した塵埃を掻き取る効果を高めることができる。
【００２３】
また、図３（ｂ）において清掃装置本体２は、ブレード３ｂがフィルター体１に摺接していない清掃体３の初期位置において、ブレード３ｂの先端部を収容する凹部４を備えている。これにより、ブレード３ｂが塵埃９の表面を上滑りすること無く、ブレード３ｂの突起３ｇがフィルター体に積層した塵埃の一方の端部に当接して掻き上げるようにしている。
【００２４】
また、フィルター清掃装置１０は、塵埃を排出するための塵埃排出口５を備えている。この塵埃排出口５は、フィルター体１に捕集された塵埃の外部への排出を防ぐと共に開閉可動する塵埃排出抑制体６が設置されている。この塵埃排出抑制体６は、塵埃の外部への排出を防ぐために、格子状に設置された長板６ａ、６ｂを備えている。これにより、使用者がフィルター清掃装置１０を衣類乾燥機２０から取り外し、ゴミ箱等の所定の廃棄場所まで運ぶ際に塵埃がこぼれ落ちることを抑制できる。また、塵埃排出抑制体６は、整流板６ｄを備えている。通風路５ａ内に回動軸３ａが形成されていると、回動軸３ａが障害物となって気流の速度が落ちて塵埃が回動軸３ａに付着しやすくなるが、特に、第１実施形態のように基礎壁２ｂと回動軸３ａが近接して設置されていると、基礎壁２ｂと回動軸３ａとの隙間を通過する気流が最も滞留しやすくなる。しかし、整流板６ｄを設置することによって、気流の方向を変えて回動軸３ａへの塵埃の付着を防ぐことができる。具体的には、この整流板６ｄの一方の側面３０は、清掃体３の回動軸３ａよりも上流側の通風路５ａ内であると共に、回動軸３ａの近傍であって、回動軸３ａの軸中心よりも基礎壁２ｂから離れた位置に設置されている。そして、気流を基礎壁２ｂから離れる方向に誘導して、基礎壁２ｂと回動軸３ａとの隙間に気流を流入し難くし、回動軸３ａの周囲に塵埃が付着して滞留するのを防いでいる。
【００２５】
また、フィルター清掃装置１０は、塵埃排出抑制体６を可動すると共に、清掃体３と連結し、清掃体３を可動させるための可動機構７を備えており、この可動機構７は、清掃装置本体２の１つの外側面２ａに設置されている。
【００２６】
次に、図４（ａ）〜（ｃ）を用いて、本発明に係るフィルター清掃装置１０を構成する可動機構７の動作を説明する。可動機構７は、操作レバー７ａと、操作レバー７ａから伝達される運動を清掃体３（図３参照）に伝達する運動伝達部材７ｂと、塵埃排出抑制体６に形成されると共に閉動作時に操作レバー７ａを押す押圧部６ｃとを備えており、操作レバー７ａを押すことによって、清掃体３がフィルター体１（図３参照）を清掃すると同時に、塵埃排出抑制体６を開動作させるものであって、塵埃排出抑制体６の閉動作時に、押圧部６ｃが操作レバー７ａを押すことによって清掃体３を初期位置に戻すものである。
【００２７】
また、可動機構７は、清掃装置本体２の１つの外側面に設置されると共に、操作レバー７ａの長手方向と、運動伝達部材７ｂの厚み方向に直交する方向は、清掃装置本体２の外側面２ａに対して平行となるように設置されている。尚、操作レバー７ａは、清掃体３の回動軸３ａに対して直交する方向に往復動が可能としている。
【００２８】
具体的には、操作レバー７ａは、ラックギアを有し、運動伝達部材７ｂは、平歯車を有しており、この平歯車の回転中心は、回動軸３ａの回動中心と一致するよう形成されている。運動伝達部材７ｂは、操作レバー７ａから伝達される直線運動を回転運動に変換させるものであり、平歯車に伝達された動力は回動軸３ａを通じて清掃体３を回動させる。このように運動伝達部材７ｂに平歯車を用いて清掃体３を回動させる機構としたことで、１つの外側面２ａのみに可動機構７を形成するだけで安定した清掃動作が実現できる。もし、運動伝達部材７ｂに平歯車を用いず、清掃体３を直線運動によって清掃動作させた場合は、清掃体３を挟んだ２つの外側面で支える必要があり、可動機構７は複雑なものとなってしまう。そして、図４（ａ）に示した初期位置から、操作レバー７ａを図面上左方向に押すと、操作レバー７ａの先端と接触している塵埃排出抑制体６の押圧部６ｃが図面上左方向に押され、塵埃排出抑制体６の一方の端部が連結している回動軸８回りに回動して図４（ｂ）に示す状態となる。
【００２９】
そして、図４（ｂ）に示す状態から、塵埃排出抑制体６を図面上時計回りに回転させることによって、図４（ｃ）に示す押圧部６ｃが操作レバー７ａの先端と接触する状態となり、更に押圧部６ｃが操作レバー７ａを押すことによって図４（ａ）に示す初期位置へと復帰する。尚、塵埃排出抑制体６には整流板６ｄが設置されている。これにより、フィルター清掃装置１０内部の清掃を行い易くすると共に、塵埃排出抑制体６を回転軸８によって開閉可動する構成において、整流板６ｄが錘となって塵埃排出抑制体６の開動作を容易に行うことができる。
【００３０】
図５は、往路における第１実施形態のフィルター清掃装置の清掃動作を示している。往路における初期位置では、清掃体３のブレード３ｂは、凹部４に収容されている。そして、清掃体３を図面上、時計回りに回動させることによって、ブレード３ｂは、凹部４から移動してフィルター体１に当接することとなる。なお、ブレード３ｂが凹部４に収容されている時、可動機構７は図４（ａ）の状態であり、操作レバー７ａを図面上左側に押し込むにつれて清掃体３が回動してフィルター体１を清掃する。
【００３１】
フィルター体１に当接している状態のブレード３ｂは、進行方向に対して後方側に屈曲又は湾曲した状態となっている。そして、往路の終端近傍においてフィルター体１から離れることによって、ブレード３ｂは、屈曲又は湾曲状態から解放されると共に、塵埃９は、塵埃排出口５から外部へと弾き出されることとなる。この時、可動機構７は図４（ｂ）の状態であり、塵埃排出抑制体６は開いている。このように構成することで、使用者はゴミ箱等の所定の廃棄場所に塵埃を捨てる際に、ブレード３ｂの復元力によって、塵埃を弾き飛ばすので確実に廃棄場所まで移送する事ができる。
【００３２】
尚、第１実施形態では、清掃装置本体上面２ｃが衣類乾燥機上面２０ｅと平行になるように設置されているが（図１参照）、フィルター清掃装置１０の側面や底面に基礎壁２ｂ及び清掃体３の回動軸３ａを設置してもよく、これも本発明に含まれる。例えば、側面に設置する場合、回動軸３ａの長手方向と基礎壁２ｂの平面を、清掃装置本体上面２ｃに対して直交するよう設置し、フィルター体１を基礎壁２ｂと対向する他方の側面に設置する。すなわち、第１実施形態のフィルター清掃装置１０の清掃装置本体上面２ｃ以外の各部材を、塵埃排出口５側から見て時計回りに９０°回転させたような構成となる。また、底面に基礎壁２ｂ及び清掃体３の回動軸３ａを設置する場合は、回動軸３ａの長手方向と基礎壁の平面を、清掃装置本体上面２ｃと対向する底面となるように設置される。
【００３３】
図６（ａ）〜（ｄ）は、整流板の他例を示す断面図である。整流板は清掃体と同様に、フィルター清掃装置の一方の側面から他方の側面に架け渡すように形成されており、図６（ａ）に示す整流板２５は、基礎壁２４との間に隙間２８が形成されている。この場合においても、整流板２５が、清掃体の回動軸２６よりも上流側の通風路内であると共に、回動軸２６の近傍であって、回動軸２６の軸中心２６ａよりも基礎壁２４から離れた位置に設置されていることから、矢印で示す気流を基礎壁２４から離れる方向に誘導して、基礎壁２４と回動軸２６ａとの隙間に気流を流入し難くし、回動軸２６の周囲に塵埃が付着して滞留するのを防ぐことができる。尚、整流板２５は、その一部が回動軸２６の軸中心２６ａよりも基礎壁２４から離れた位置にあれば本発明に含まれる。また、整流板２５の清掃体に最も近い位置が基礎壁２４から最も離れた位置で無くても本発明に含まれる。
【００３４】
図６（ｂ）に示す整流板２５ａは、基礎壁２４ａ側に、整流板２５ａの一部と接触する遮断部２７が設けられている例であり、図６（ｃ）に示す整流板２５ｂは、整流板２５ｂ側に、基礎壁２４ｂの一部と接触する遮断部２７ａが設けられている例である。また、図６（ｄ）に示す整流板２５ｃは、遮断部２７ｂによって、基礎壁２４ｃと一体化している例である。尚、遮断部２７、２７ａ、２７ｂは、整流板や清掃体と同様に、フィルター清掃装置の一方の側面から他方の側面に架け渡すように、整流板の上流側に形成されている。また、整流板２５ａ、２５ｂ、２５ｃの各々の底面３０ａ、３０ｂ、３０ｃは、各々の基礎壁２４ａ、２４ｂ、２４ｃの平面に対して平行となっているが、清掃体の回動軸２６の軸中心２６ａよりも各々の基礎壁２４ａ、２４ｂ、２４ｃから離れた位置にあるので、気流の流れは矢印で示すように、基礎壁側には行き難くなっている。このように構成することで、基礎壁２４と回動軸２６との隙間２９に気流を流入し難くし、回動軸２６の周囲に塵埃が付着して滞留するのを防いでいる。
【００３５】
図７（ａ）〜（ｃ）は、整流板の更に他例を示す断面図である。図７（ａ）に示す整流板２５ｄは、基礎壁２４ｄと一体化されており、整流板２５ｄの基礎壁２４ｄから離れる方向の高さは、回動軸２６に近づくにつれて大きくなっている。また、整流板２５ｄが清掃体の回動軸２６を超える位置まで形成されている。これにより、基礎壁２４ｄから離れる方向であって、回動軸２６からも離れる方向に通風の向きを形成することができるので、回動軸２６と整流板２５ｄとの間が多少離れている場合でも、回動軸２６の周囲に塵埃が滞留するのを防ぐことができる。また、整流板２５ｄが回動軸２６を超える位置まで形成されていることで、整流板２５ｄと回動軸２６との隙間２９だけでなく、回動軸全体に通風が当たり難くなるため、より塵埃の付着を防ぐことができる。
【００３６】
また、図７（ｂ）に示す整流板２５ｅは、基礎壁２４ｅと一体化されており、整流板２５ｅの基礎壁２４ｅから離れる方向の高さは、回動軸２６に近づくにつれて小さくなっている。また、整流板２５ｅの底面３０ｅが清掃体の回動軸２６を超える位置まで形成されている。これにより、回動軸２６の周囲に塵埃が滞留するのを防ぐことができる。尚、図６（ａ）〜（ｄ）及び図７（ａ）及び（ｂ）の整流板の例では、第１実施形態で示した塵埃排出抑制体が無い例を示しているが、塵埃排出抑制体を整流板と一体化しないで設けることもでき、これも本発明に含まれる。
【００３７】
図７（ｃ）に示す整流板２５ｆの底面３０ｆは、塵埃排出抑制体３１の底面３０ｇ及び回動軸２６の底面３０ｈと略同一平面となるように設置した例である。このように構成することによって、気流が矢印で示すように直線状となるので、風路抵抗が軽減されると共に、騒音も低減される。尚、整流板２５ｆは、塵埃排出抑制体３１と一体化してもよいが、分離してフィルター清掃装置の一方の側面から他方の側面に架け渡すように形成してもよい。また、塵埃排出抑制体３１を設けず、整流板２５ｆと回動軸２６の底面３０ｆ、３０ｈを略同一平面となるよう設置した場合や、整流板２５ｆと基礎壁２４ｆとの間の隙間２８を設けない場合でも、同様の効果を奏することができる。
【産業上の利用可能性】
【００３８】
本発明に係るフィルター清掃装置は、フィルターに付着した塵埃を除去するために利用されるものである。また、本発明に係る乾燥機は、フィルター清掃装置を備えた乾燥機として利用される。
【符号の説明】
【００３９】
１  フィルター体
２  清掃装置本体
２ａ  外側面
２ｂ  基礎壁
２ｃ  清掃装置本体上面
３  清掃体
３ａ  回動軸
３ｂ  ブレード
３ｃ  基台
３ｄ  清掃体の他方の端部
３ｅ  支持部
３ｆ  清掃体の一方の端部
３ｇ  突起
４  凹部
５  塵埃排出口
５ａ  通風路
６、３１  塵埃排出抑制体
６ａ、６ｂ  長板
６ｃ  押圧部
６ｄ  整流板
７  可動機構
７ａ  操作レバー
７ｂ  運動伝達部材
８  回動軸
９  塵埃
１０  フィルター清掃装置
１２  フィルター面
２０  衣類乾燥機
２０ａ  ドア
２０ｂ  回転ドラム
２０ｃ  モータ
２０ｄ  槽体
２０ｅ  衣類乾燥機上面
２１ａ、２１ｂ、２１ｃ  循環ダクト
２２  加熱手段
２３  送風手段（ファン）
２７  遮断部
【図１】
2018121821.tif 000003
【図２】
2018121821.tif 000004
【図３】
2018121821.tif 000005
【図４】
2018121821.tif 000006
【図５】
2018121821.tif 000007
【図６】
2018121821.tif 000008
【図７】
2018121821.tif 000009